【事件の表示】
　特許第３１４９１３８号「連続式電解イオン水生成器の制御装置」の請求項１ないし４に係る特許に対する特許異議の申立てについて、次のとおり決定する。
【結　論】
　訂正を認める。
　特許第３１４９１３８号の訂正後の請求項１ないし４に係る特許を維持する。
【理　由】
１．手続の経緯
  本件特許第３１４９１３８号の請求項１〜４に係る発明についての出願は、平成３年１０月９日に特許出願されたものであって、平成１３年１月１９日にその発明について特許の設定登録がなされたところ、原弘光（以下、「申立人」という）より特許異議の申立てがなされ、取消理由通知がなされ、その指定期間内の平成１４年３月１８日付けで訂正請求がなされ、さらに特許権者より上申書が提出され、その後、申立人に対し当審より審尋がなされたが、その指定期間内に何ら応答がなされなかったものである。
２．訂正の適否
２−１．訂正の内容
  本件訂正の内容は、本件特許明細書を訂正請求書に添付された訂正明細書のとおり、すなわち次の訂正事項ａ乃至ｅのとおりに訂正しようとするものである。
（１）訂正事項ａ
　請求項１を、「陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えることを特徴とする連続式電解イオン水生成器の制御装置。」と訂正する。
（２）訂正事項ｂ
　明細書中の「【課題を解決するための手段】上記目的を達成するため本発明は、・・・とを備えるものである。」（本件特許掲載公報第２頁第４欄第１１〜２０行）を、「【課題を解決するための手段】上記目的を達成するため本発明は、陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えるものである。」と訂正する。
（３）訂正事項ｃ
　明細書中の「【作用】上記構成に基づき、・・・通電することが可能になる。」（本件特許掲載公報第２頁第４欄第２２〜３３行）を、「【作用】上記構成に基づき、電解槽に実際に通水されると、フィルタカートリッジにより通水中の残留塩素が除去され、流量センサの信号で流量が検出される。そして、流量センサの信号で流量が検出され且つレンジ切換スイッチが電解位置の場合に、制御ユニットは、電解要と判定するとともにレンジ切換スイッチの操作に応じて設定されるパルス信号に基づきスイッチングレギュレータをＯＮ、ＯＦＦ動作し、これにより電解槽に通電して正常に電気分解する。また、流量センサの信号で流量が検出されない非通水時、流量センサの信号で流量が検出されてもレンジ切換スイッチが非電解位置の場合には、制御ユニットは、電解不要と判定するとともにスイッチングレギュレータをＯＦＦ動作して、電解槽は非通電の状態に保持され、こうして適確に電解槽に通電することが可能になる。」と訂正する。
（４）訂正事項ｄ
　明細書中の「【発明の効果】以上説明したように、・・・非通電することができる。」（本件特許掲載公報第４頁第７欄第３７行〜第８欄第３行）を、「【発明の効果】以上説明したように、本発明によれば、連続式電解イオン水生成器において、流量センサの信号で実際の通水時の流量を検出し、これとレンジ切換スイッチの操作に応じて設定されるパルス信号に基づくスイッチングレギュレータのＯＮ、ＯＦＦ動作により電解槽の通電を制御するように構成されるので、水圧や配管経路の圧損等に影響されることなく、適確に電解槽に通電または非通電することができる。」と訂正する。
（５）訂正事項ｅ
　明細書中の「そこで、極性反転スイッチ１８により電極側の極性を陰極６側の吐出口８に切換えることにより、陰イオンを多く含んだアルカリイオン水が取水され、逆に陽極７側の吐出口９に切換えると、陽イオンを多く含んだ酸性イオン水が取水される。」（第４頁第７欄第１７〜２１行）を、削除する。
２−２．訂正の目的の適否、新規事項の有無及び拡張変更の存否
（１）上記訂正事項ａについて
　上記訂正事項ａは、大別するとａ−１．「電源回路」を「スイッチングレギュレータ」と訂正し、ａ−２．「電解の有無を判定」を「電解の要否を判定」と訂正し、ａ−３．「流量と前記レンジ切換スイッチの操作で決まる電解強度との関係により電解の有無を判定して電源回路の電源スイッチをＯＮまたはＯＦＦする制御ユニット」を「流量と前記レンジ切換スイッチの操作で決まる電界強度との関係により電解の要否を判定するとともに、前記レンジ切換スイッチの操作に応じて設定されるパルス信号に基づき前記スイッチングレギュレータをＯＮ、ＯＦＦ動作する制御ユニット」と訂正するものである。　
　上記訂正事項ａ−１．は、電源回路をスイッチングレギュレータに限定するものであるから、特許請求の範囲の減縮を目的とする訂正に該当し、また上記訂正事項ａ−２．は、「有無」を「要否」と明りょうにしたものであるから、明りょうでない記載の釈明を目的とする訂正に該当し、また上記訂正事項ａ−３．は、制御ユニットの制御を、「流量と前記レンジ切換スイッチの操作で決まる電界強度との関係により電解の要否を判定するとともに、前記レンジ切換スイッチの操作に応じて設定されるパルス信号に基づきスイッチングレギュレータのＯＮ、ＯＦＦ動作する」制御と限定したものであるから、特許請求の範囲の減縮を目的とする訂正に該当する。
　そして上記訂正事項ａ−１．は、明細書中の「直流供給電力を制御するものとして、パルス幅制御型のスイッチングレギュレータ（ＰＷＭ）１６に接続される。そして、スイッチングレギュレータ１６の出力側が、電源スイッチ１７、極性反転スイッチ１８を介してそれぞれ陽極７と陰極６に接続されている。」（本件特許掲載公報第２頁第４欄第４〜８行）からみて、願書に添付した明細書に記載した事項の範囲内においてなされたものであり、また実質上特許請求の範囲を拡張し、又は変更するものでもない。
　また、上記訂正事項ａ−２．すなわち「有無」を「要否」と訂正することは、電解判定手段の判断内容を「要否」と適切に表現したものであるから、願書に添付した明細書に記載した事項の範囲内においてなされたものであり、また実質上特許請求の範囲を拡張し、又は変更するものでもない。
　また、上記訂正事項ａ−３．は、明細書中の「このとき、制御ユニット４０でレンジ切換スイッチ２８の操作に応じたパルス幅が設定され、このパルス信号がスイッチングレギュレータ１６に出力してＯＮ、ＯＦＦ動作し、直流供給電圧が可変制御されるのであり、これによりレンジ切換スイッチ２８の操作に応じた電解電圧を出力する。」（本件特許掲載公報第４頁第７欄第７〜１３行）の記載からみて、願書に添付した明細書に記載した事項の範囲内においてなされたものであり、また実質上特許請求の範囲を拡張し、又は変更するものでもない。
（２）上記訂正事項ｂ〜ｄについて
　上記訂正事項ｂ〜ｄは、特許請求の範囲の減縮を目的とする訂正事項ａの訂正に伴うものであり、減縮された特許請求の範囲の記載と明細書の記載を整合させるために明りょうでない記載の釈明を行うことを目的とする訂正に該当するものであり、また願書に添付した明細書に記載した事項の範囲内においてなされた訂正であり、実質上特許請求の範囲を拡張し、又は変更するものでもない。
（３）上記訂正事項ｅについて
　上記訂正事項ｅは、本件特許明細書の段落【００１２】の記載の一部と段落【００１９】の記載の一部が整合しないため段落【００１９】の記載の一部を削除するものであるから、明りょうでない記載の釈明を行うことを目的とする訂正に該当するものであり、また願書に添付した明細書に記載した事項の範囲内においてなされた訂正であり、実質上特許請求の範囲を拡張し、又は変更するものでもない。　
２−３．まとめ
　以上のとおりであるから、上記訂正は、特許法等の一部を改正ずる法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
３．特許異議申立てについて
３−１．特許異議の申立ての理由の概要
  特許異議申立人は、証拠方法として甲第１〜６号証を提出し、（イ）本件特許明細書は記載不備であるから、請求項１〜４に係る発明の特許は特許法第３６条第４項乃至第６項の規定に違反してされたものであり取り消されるべきものである、（ロ）請求項１〜４に係る発明は甲第１〜６号証に記載された発明に基づいて当業者が容易に発明をすることができたものであるから、請求項１〜４に係る発明の特許は特許法第２９条第２項の規定に違反してされたものであり取り消されるべきものであると主張している。
３−２．本件訂正発明
　特許権者が請求した上記訂正は、上述したとおり、認容することができるから、訂正後の本件請求項１〜４に係る発明は訂正明細書の特許請求の範囲の請求項１〜４に記載された次のとおりのものである（以下、「本件訂正発明１〜４」という。）。
「【請求項１】陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えることを特徴とする連続式電解イオン水生成器の制御装置。
【請求項２】上記制御ユニットが、通水時の流量を積算する通水量算出手段と、通水量によりフィルタカートリッジの寿命の有無を判定して寿命に達した場合はそれを表示するフィルタ寿命判定手段と、を備えることを特徴とする請求項１記載の連続式電解イオン水生成器の制御装置。
【請求項３】上記制御ユニットが、通水時に流量により電解能力を判定して流量の多少や適正を表示する電解能力判定手段を備えることを特徴とする請求項１記載の連続式電解イオン水生成器の制御装置。
【請求項４】上記フィル夕カートリッジが、フィル夕交換時に通水量の積算をリセットするリセットスイッチを備えることを特徴とする請求項１記載の連続式電解イオン水生成器の制御装置。」
３−３．特許法第３６条違反（上記３−１．（イ））の主張について
　申立人は、本件特許明細書には、流量の値と電解強度の値とに基づいてきめ細かく電源回路をＯＮ・ＯＦＦ制御する点について明確かつ十分に記載されていないと主張しているが、本件訂正明細書の段落【００１６】、【００１７】、【００１９】には、流量の値と電解強度の値に基づいて制御することが記載されており、特に段落【００１９】には、この制御の仕方について明確に記載されているから、申立人の主張は採用することができない。
３−４．特許法第２９条第２項違反（上記３−１．（ロ））の主張について
３−４−１．甲号各証の記載内容
（１）甲第１号証：実願平１−８３４４４号（実開平３−２２５９０号）のマイクロフィルム：取消理由通知の刊行物１
（ａ）「流入される水をアルカリ性イオン水と酸性イオン水とに分離する電極を有する電解槽と、この電解槽に連結されている酸性イオン水排水路およびアルカリ性イオン水排水路と、電解槽の電極に連結されている電源と、少なくとも一方の電極に逆極性の洗浄電圧を印加する電極洗浄手段とを備え、電極洗浄手段が電極に洗浄電圧を印加するように構成されたものにおいて、下記の（１）〜（４）の構成を有することを特徴とする電解イオン水生成装置。（１）電極洗浄手段は積算タイマーと、スタート起動タイマーと、演算部材と、制御部材とを備えている。（２）積算タイマーは、電極の通電時間を積算して記憶する。（３）演算手段は、積算タイマーの積算時間に、予め定められた係数を掛けて洗浄時間を演算する。（４）スタート起動タイマーと、演算手段からの出力信号で、制御部材は、電極に洗浄電圧を印加する。」（請求項１）
（ｂ）「濾過手段１は、供給された水道水を粒状活性炭４で濾過して電解イオン水に供給するもので、耐圧タンク３と、粒状活性炭４と、供給管５と、排出管６と、フィルター７とを備えている。」（第１４頁第５〜８行）
（ｃ）「プラス電極８とマイナス電極９とは、切換スイッチ２３を介して直流の電源１６に連結されている。電源１６の出力電圧、即ち、両電極間の電圧は、アルカリ性イオン水および酸性イオン水の流量、電極面積、アルカリ性イオン水と酸性イオン水とに含まれる要求イオン濃度とを考慮して決定する。通常、両電極間の電圧は、２０〜１００ボルトの範囲に調整する。電解槽２で電離されるイオンの含有量は、電極８、９間の電流に比例する。電極間の電流は、電圧にほぼ比例する。従って、アルカリ性イオン水と酸性イオン水とに含まれるイオン濃度は、電極間の電圧で調整できる。電極間の電圧を高くすると、アルカリ性イオン水と酸性イオン水とに含まれるイオン濃度は高くなる。アルカリ性イオン水と酸性イオン水のイオン濃度は用途によって最適値が異なる。電極間の電圧を調整して、用途に最適のイオン水が得られる。従って、電極に直流電力を供給する電源１６には、好ましくは、出力電圧が変更できるタイプが使用される。」（第１６頁第４行〜第１７頁第５行）
（ｄ）「アルカリ性イオン水排水路１０の途中にはフローセンサー１４が連結されている。このフローセンサー１４は、酸性イオン水排水路１１の電磁弁２１を制御する。また、排出管６の途中にもフローセンサー２７が連結されている。フローセンサー１４、２７が電磁弁２１を制御してこれを開閉する。」（第１８頁第７〜１３行）
（ｅ）「フローセンサー１４は、電磁弁２１と一緒に電源スイッチ１７も制御する。電極８、９は、アルカリ性イオン水と酸性イオン水とが排出される時に電圧が加えられる。アルカリ性イオン水と酸性イオン水とが排水されない状態にあっては、電極８、９には電圧は加えられない。従って、フローセンサー１４がアルカリ性イオン水の排水を検出する時に、電源スイッチ１７はオン、アルカリ性イオン水が排水されない状態にあっては、電源スイッチ１７はオフ状態に制御される。」（第１９頁第３〜１２行）
（２）甲第２号証：特開平１−２０３０９７号公報：取消理由通知の刊行物２
（ａ）「内部に水電解用の電極を配した電解槽の一側に給水路を設けるとともに他側にアルカリ水排出路と酸性水排出路を設けた水の電解機と、該電解機の前記給水路、アルカリ水排出路または酸性水排出路のいずれかの流路に介装され、水の出口側圧力と入口側圧力の圧力差によって該流路を開閉する弁部材の位置を検出してＯＮ−ＯＦＦ信号を発信するフロースイッチバルブと、フロースイッチバルブのＯＮ信号に応答して前記電解槽の電極に所定極性の直流電解電圧を印加する電解回路と、フロースイッチバルブのＯＮ信号時間を精算して所定積算値に達すると積算出力信号を発信する制御回路とを有することを特徴とする電解イオン水生成装置。」（請求項１）
（ｂ）「電解槽１の電極２，３は電解用の直流電圧を印加する電解電気回路９に電気的に接続されており、電極２，３へ電圧を印加することにより電解槽１内へ給水される水をアルカリ水と酸性水に電解し、それぞれの排出路７，８　を介して取出される。電解槽１の給水路５、アルカリ水排出路７または酸性水排出路８のいずれかに水の流れを検出して信号を発信するフロースイッチバルブ１０が介装され・・・」（第４頁右下欄第１８行〜第５頁左上欄第６行）
（ｃ）「第３ａ図乃至第３ｅ図において、１４は交流電源１４ａ、電源スイッチ１４ｂ、ヒューズ１４ｃ等を介してトランス１５の一次側に接続されている電源回路１６はトランス１５の二次側から後述する電解制御回路１７の電解リレーコイル接点と電圧調整ロータリースイッチ１８を介して整流回路１９へ接続され、整流回路から電解電極２，３へ直流電解電圧を供給する電解回路である。」（第５頁右下欄第６〜１３行）
（ｄ）「かくして請求項（１）に対応する第３ａ図実施例ではフロースイッチバルブ１０のＯＮ信号が入力されると電解リレー２２が作動し、その接点２２’が電解回路を導通させて電極２，３に所定極性の直流電解電圧を印加させ、電解を行う」（第６頁左上欄第４〜第８行）
（３）甲第３号証：実願昭６３−１８４８４号（実開平１−１６３４９４号）のマイクロフィルム：取消理由通知の刊行物３
（ａ）「飲料水が供給される電解槽内の電極間に直流電圧を印加することにより飲料水を電気分解してアルカリイオン水及び酸性水を生成するアルカリイオン水生成器において、上記電極間に供給される電流を検出する電解電流検出手段と、所定の電解電流値を設定する電解電流調節手段と、上記検出された電流値と設定された電解電流値とに応じて上記電極間に供給される電流の値を、上記所定の電解電流値となるように制御する制御手段とを備えたことを特徴とするアルカリイオン水生成器の電界強度の調節装置。」（請求項１）
（ｂ）「図において、１は交流電源でありトランス２へ接続されている。トランス２の２次側の１部には整流スタック３が接続されており、整流スタック３の出力には平滑コンデンサ４及び電流検出用抵抗５、電流調節用トランジスタ６を介して極性反転用リレー７の接点７−１，７−２が接続され、リレーの接点７−５、７−６が電解槽８内の電極（図示せず）へ接続されている。・・・コントロールユニット１２はトランス２の２次側の他の１部に接続された整流スタック９の出力側の平滑コンデンサ１０を介して定電圧器１１に接続されており、更に通水スイッチ１３、リレー７、電解強度調節スイッチ１４、電解強度表示ＬＥＤ１５，１６，１７，１８、洗浄表示ＬＥＤＩ９が接続されている。さて、電解槽８へ飲料水を供給すると、これに応じて通水スイッチ１３が作動し、コントロールユニット１２から同時にトランジスタ６に電流を流すよう指令を出し電解が始まる。電解が始まると電流検出用抵抗５で電解電流が検出され、検出された電流値がコントロールユニット１２に電解強度調節スイッチ１４により任意に選択して設定された電流値と共に与えられ、コントロールユニット１２はこれらの値に応じてトランジスタ６を制御して、上記電解電流の値が上記設定された電流値となるようにする。」（第５頁第１７行〜第７頁第１０行）
（４）甲第４号証：実願昭６３−１４１９５０号（実開平２−６６２９４号）のマイクロフィルム：取消理由通知の刊行物４
（ａ）「水供給源と水槽をつなぐ流水路と、その流水路における水の流れの有無を検知する水量検知センサと、その水量検知センサの検知信号を受けて作動し、前記水槽の水の殺菌を行なうイオン発生器とを備えた水流検知型殺菌装置。」（請求項１）
（ｂ）「この流水路４には、該流水路４内における水の流れの有無を検知する水量検知センサ５が設けられ、流水路４内の水が一定以上流れると信号を発し、その信号が前記イオン発生器３の電源装置６に送られて、イオン発生器３のＯＮ・ＯＦＦを行なうものである。」（第５頁第１０〜１５行）
（５）甲第５号証：実願昭６３−２０８１０号（実開平１−１２４２９３号）のマイクロフィルム：取消理由通知の刊行物５
（ａ）「脱塩素剤を内蔵するカートリッジと、該カートリッジを通過した水が導入されるイオン水生成用の電解槽とを備えるイオン水生成器において、該カートリッジの通水量の積算手段、該積算値が脱塩素剤の寿命値よりも小さい中間値にあることを表示する手段及び該積算値が該寿命値に到達したことを表示する手段を備えたことを特徴とする脱塩素カートリッジを備えたイオン水生成器。」（請求項１）
（ｂ）「前記積算タイマ５６は通水スイッチ５４の接点が閉じた時間（即ち通水時間）を積算するものであり、この積算値に応じて積算通水量を表示するためのＬＥＤ７１〜７６が操作パネル３６に設けられている。ＬＥＤ７１〜７５は寿命が尽きる前の中間値を示すものであり、積算通水量が増大するに従って、正面視の左端側からＬＥＤが点灯し始める。」（第８頁第１０〜１７行）
（ｃ）「カートリッジ２５への通水量は積算タイマ５６で積算され、次第にＬＥＤ７１〜７５の点灯数が増大する。ＬＥＤ７１〜７５のすべてが点灯したときには脱塩素剤の寿命が尽きかけているので、新品のカートリッジを準備する。そして、ＬＥＤ７６が点灯したときにカートリッジ２５の交換を行う。なお、カートリッジ２５を交換するときにリセットスイッチ（図示略）が自動的に作動され、ＬＥＤ７１〜７６が消灯する。」（第９頁第１１〜１９行）
（６）甲第６号証：特開昭６４−１１６９３号公報：取消理由通知の刊行物６
（ａ）「対向配置した陰電極と陽電極の間を電解用隔膜で陰極室と陽極室に仕切り、一側に両電極に連通する原水供給部を、他側に各々の電極室に各別に連通する一対の電解水排水管を設けた電解槽と；前記両電極に給電する給電回路と；この給電回路に接続された過電流検出回路と；この過電流検出回路の過電流検出により作動し、前記両電極への給電を停止するブレーカ回路と；前記両電極への給電により作動し、予め設定された時間だけ前記ブレーカ回路を不作動とするタイマ回路と；を具備することを特徴とする連続式電解イオン水生成装置。」（特許請求の範囲第１項）
（ｂ）「電解槽１の両電極２，３への給電電流は、第３図に示す過電流検出回路１４で常時検出され、この過電流検出回路１４が過電流を検出すると、ブレーカ回路１５が作動して接点Ｓが開成し、電解槽１への給電が停止される。すなわち、電解槽１の両電極２，３に設定値以上の電流が流れると、過電流検出回路１４のサイリスタＳＣＲのゲートにトリガが入力され、サイリスタＳＣＲが導通される。すると、過電流検出用の発光ダイオードＬＥＤ４が点灯するとともにホトカプラ１９が作動し、そのホトトランジスタＴＲ２が導通状態となってトランジスタＴＲ１が非導通となる。これにより、電解用の発光ダイオードＬＥＤ３が消灯するとともにリレーＲが消磁され、接点Ｓが開成して電解槽１への給電が停止される。」（第３頁右下欄第１〜１６行）
３−４−２．対比・判断
（１）本件訂正発明１について
  甲第１号証には、上記（１）（ａ）から「流入される水をアルカリ性イオン水と酸性イオン水とに分離する電極を有する電解槽と、この電解槽に連結されている酸性イオン水排水路およびアルカリ性イオン水排水路と、電解槽の電極に連結されている電源と、少なくとも一方の電極に逆極性の洗浄電圧を印加する電極洗浄手段とを備え、電極洗浄手段が電極に洗浄電圧を印加するように構成された電解イオン水生成装置。」が記載されていると云える。
　ここで、甲第１号証には、上記（１）（ｂ）から、供給する水道水に濾過手段を設けることが記載されており、また、上記（１）（ｄ）（ｅ）から、アルカリ性イオン水排水路にフローセンサーを設け、アルカリ性イオン水の排水を検出する時に電源スイッチはオンに、排水されない状態にあってはオフに制御することが記載されている。また、甲第１号証には、上記（１）（ｃ）から、「電極間の電圧を調整して、用途に最適のイオン水が得られる。従って、電極に直流電力を供給する電源には、好ましくは、出力電圧が変更できるタイプが使用される。」と記載されているから、この記載から、装置的な手段として「用途に最適なイオン水を示す手段」、「イオン水に応じて電極間の電圧を調整する手段」及び「電極間に直流電力を供給する出力電圧可変タイプの直流電力供給電源」が示されていると云えるから、これら記載事項を本件訂正発明１の記載ぶりに則って整理すると、甲第１号証には「電極を有する電解槽への供給路に設けられた濾過手段と、アルカリイオン水排出路に設けられたフローセンサと、フローセンサーの検出に基づき電源スイッチをオン・オフする手段と、電極間に直流電力を供給する出力電圧可変タイプの直流電力供給電源と、用途に最適なイオン水を示す手段と、イオン水に応じて電極間の電圧を調整する手段とを備える電解イオン水生成装置の制御装置。」という発明（以下、「甲１発明」という）が記載されていると云える。
  そこで、本件訂正発明１と甲１発明とを対比すると、甲１発明の「電極を有する電解槽」、「供給路」、「濾過手段」及び「用途に最適なイオン水を示す手段」は、本件訂正発明１の「陰極と陽極を有する電解槽」、「通水管路」、「残留塩素を除去するフィルターカートリッジ」及び「レンジ切換スイッチ」にそれぞれ相当するから、両者は、「陰極と陽極を有する電解槽への通水管路中に設けられて通水の残留塩素を除去するフィルタカートリッジと、前記電解槽の電解強度を調節するレンジ切換スイッチとを備えることを特徴とする連続式電解イオン水生成器の制御装置。」という点で一致し、次の点で相違していると云える。
相違点（イ）：本件訂正発明１では、流量センサが通水管路中に設けられて通水の流量を検出するのに対して、甲１発明では、アルカリイオン水排出路に設けられている点
相違点（ロ）：本件訂正発明１では、陰極と陽極間に直流電圧を印加する「スイッチングレギュレータ」が使用され、「流量とレンジ切換スイッチの操作で決まる電解強度との関係により電解の要否を判定するとともにレンジ切換スイッチの操作に応じて設定されるパルス信号に基づきスイッチングレギュレータをＯＮ、ＯＦＦ動作する制御ユニット」が具備されているのに対して、甲１発明では、電極間に直流電力を供給する「出力電圧可変タイプの直流電力供給電源」が使用され、「フローセンサーの検出に基づき電源スイッチをオン・オフする手段及びイオン水に応じて電極間の電圧を調整する手段」が具備されている点
  次に、これら相違点のうち、上記相違点（ロ）について検討すると、甲第２号証乃至甲第６号証には、「スイッチングレギュレータ」を電解イオン水生成器に使用すること、電解強度との関係によりこのスイッチングレギュレータをＯＮ、ＯＦＦ動作する制御ユニットについては、何ら示唆されていない。
　すなわち、甲第２号証には、電解イオン水生成装置において、フロースイッチバルブのＯＮ信号に応答して電解槽の電極に所定極性の直流電解電圧を印加することが記載されているだけであり、電解強度に関する記載も「所定極性の直流電解電圧を印加」するというだけで、電解強度を制御することについては示唆されていないと云える。
　また甲第３号証には、アルカリイオン水生成器の電解強度の制御に関し、検出された電解電流値が電解強度調節スイッチにより設定された電解電流値になるよう制御する制御手段については記載されているが、この制御手段は、「電流調節用トランジスタ」であり、「レンジ切換スイッチの操作に応じて設定されるパルス信号」に基づく制御手段ではないし、また電源にスイッチングレギュレータが使用されているものでもない。
　さらに、甲第４号証には、水量検知センサによりイオン発生器のＯＮ・ＯＦＦを行う水流検知型殺菌装置が記載されているだけであり、甲第５号証には、積算通水量によって脱塩素カートリッジの寿命を告知するイオン水生成器が記載されているだけであり、甲第６号証には、過電流を検出する連続式電解イオン水生成装置が記載されているだけである。
　してみると、甲第１〜６号証には、電解強度の制御手段として「レンジ切換スイッチの操作に応じて設定されるパルス信号」に基づく制御手段やスイッチングレギュレータについては何も示唆されていないと云える
　したがって、本件訂正発明１は、上記甲第１〜６号証に記載された発明に基づいて当業者が容易に想到することができたものであるとすることはできない。
（２）本件訂正発明２〜４について
　本件訂正発明２〜４は、請求項１を引用してさらに限定されたものであるから、上記（１）で述べたと同じ理由により、甲第１〜６号証に記載された発明に基づいて当業者が容易に想到することができたものであるとすることはできない。
４．むすび
　以上のとおり、特許異議申立ての理由及び証拠方法によっては、訂正後の本件請求項１〜４に係る発明の特許を取り消すことはできない。
 また、他に訂正後の本件請求項１〜４に係る発明の特許を取り消すべき理由を発見しない。
　したがって、訂正後の本件請求項１〜４に係る発明についての特許は拒絶の査定をしなければならない特許出願にされたものと認めない。
 よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月１５日（２００２．１０．１５）
【訂正の要旨】
訂正の要旨
　特許第３１４９１３８号発明の明細書を、本件訂正請求書に添付された訂正明細書のとおりに、
（１）訂正事項ａ
　請求項１を、「陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えることを特徴とする連続式電解イオン水生成器の制御装置。」と訂正する。
（２）訂正事項ｂ
　明細書中の「【課題を解決するための手段】上記目的を達成するため本発明は、・・・とを備えるものである。」（本件特許掲載公報第２頁第４欄第１１〜２０行）を、「【課題を解決するための手段】上記目的を達成するため本発明は、陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えるものである。」と訂正する。
（３）訂正事項ｃ
　明細書中の「【作用】上記構成に基づき、・・・通電することが可能になる。」（本件特許掲載公報第２頁第４欄第２２〜３３行）を、「【作用】上記構成に基づき、電解槽に実際に通水されると、フィルタカートリッジにより通水中の残留塩素が除去され、流量センサの信号で流量が検出される。そして、流量センサの信号で流量が検出され且つレンジ切換スイッチが電解位置の場合に、制御ユニットは、電解要と判定するとともにレンジ切換スイッチの操作に応じて設定されるパルス信号に基づきスイッチングレギュレータをＯＮ、ＯＦＦ動作し、これにより電解槽に通電して正常に電気分解する。また、流量センサの信号で流量が検出されない非通水時、流量センサの信号で流量が検出されてもレンジ切換スイッチが非電解位置の場合には、制御ユニットは、電解不要と判定するとともにスイッチングレギュレータをＯＦＦ動作して、電解槽は非通電の状態に保持され、こうして適確に電解槽に通電することが可能になる。」と訂正する。
（４）訂正事項ｄ
　明細書中の「【発明の効果】以上説明したように、・・・非通電することができる。」（本件特許掲載公報第４頁第７欄第３７行〜第８欄第３行）を、「【発明の効果】以上説明したように、本発明によれば、連続式電解イオン水生成器において、流量センサの信号で実際の通水時の流量を検出し、これとレンジ切換スイッチの操作に応じて設定されるパルス信号に基づくスイッチングレギュレータのＯＮ、ＯＦＦ動作により電解槽の通電を制御するように構成されるので、水圧や配管経路の圧損等に影響されることなく、適確に電解槽に通電または非通電することができる。」と訂正する。
（５）訂正事項ｅ
　明細書中の「そこで、極性反転スイッチ１８により電極側の極性を陰極６側の吐出口８に切換えることにより、陰イオンを多く含んだアルカリイオン水が取水され、逆に陽極７側の吐出口９に切換えると、陽イオンを多く含んだ酸性イオン水が取水される。」（第４頁第７欄第１７〜２１行）を、削除する。
（５４）【発明の名称】
連続式電解イオン水生成器の制御装置
（５７）【特許請求の範囲】
　【請求項１】　陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えることを特徴とする連続式電解イオン水生成器の制御装置。
　【請求項２】　上記制御ユニットが、通水時の流量を積算する通水量算出手段と、通水量によりフィルタカートリッジの寿命の有無を判定して寿命に達した場合はそれを表示するフィルタ寿命判定手段と、を備えることを特徴とする請求項１記載の連続式電解イオン水生成器の制御装置。
　【請求項３】　上記制御ユニットが、通水時に流量により電解能力を判定して流量の多少や適正を表示する電解能力判定手段を備えることを特徴とする請求項１記載の連続式電解イオン水生成器の制御装置。
　【請求項４】　上記フィルタカートリッジが、フィルタ交換時に通水量の積算をリセットするリセットスイッチを備えることを特徴とする請求項１記載の連続式電解イオン水生成器の制御装置。
【発明の詳細な説明】
　【０００１】
　【産業上の利用分野】　本発明は、水道水等を電気分解してアルカリイオン水と酸性イオン水を連続的に生成する連続式電解イオン水生成器において、電解槽への通電や、電解能力の判定と表示や、残留塩素を除去するフィルタカートリッジの寿命の判定と表示等を行う制御装置に関する。
　【０００２】
　【従来の技術】　医療用物質生成器として、水道水等の飲料水を陽極と陰極の電極に直流電圧を印加して電気分解することにより、アルカリイオン水と酸性イオン水を直接的に生成する連続式電解イオン水生成器が知られている。アルカリイオン水は現代人の肉類中心の食生活の酸性の体質を改善して健康を増進させるために使用し、酸性イオン水は化粧用として身体の表面の洗浄等に使用する。
　【０００３】　従来、この種の電解イオン水生成器においては、通水時に圧力スイッチを使用して基準流量以上の通水があるかないかを検知し、基準流量以上の通水がある場合に、自動的に電解槽に通電してイオン水を生成するように構成されている。この電解槽の電解能力は通水量が少ない程高くなり、しかも電解イオン水のＰＨは通水量等により大きく左右される。そこで、電解強度を切換えるレンジ切換スイッチが設けられ、使用者がコップに流入するイオン水の流量を目視により推定してレンジ切換スイッチを操作し、電解能力を適正化するようになっている。更に、入水管には水道水に含まれる残留塩素を除去するフィルタカートリッジが装着されているが、このフィルタカートリッジの寿命による交換時期は通水時間により判定する方法が用いられている。
　【０００４】　ところで、上記従来技術のものにあっては、通水の検知に圧力スイッチを使用しているので、水道水圧の低い地域や配管経路の圧損等がある場合に、圧力スイッチが正しく動作しないことがある。特に、イオン水の吐出口が詰まった場合には、通水しない状態で誤って電解槽に通電されるおそれがある。また、電解能力の適正化に関しては、流量が使用者の勘に依存しているので、電解強度のレンジ切換も正確に行うことができず、水質が変化してその水質の変化が電解能力に影響する場合は、殆ど適正化することは不可能に近い。更に、フィルタカートリッジの寿命の判定を通水時間で行っているので、各家庭での通水の度合い、即ち単位時間当たりの流量の違いにより、実際に使用した積算水量とフィルタの能力とに大きな差異を生じ、全ての場合に正確に寿命を判定することができない等の問題がある。従って、これらの問題を効果的に解決することが望まれる。
　【０００５】　従来、上述の解決策に類似するものとして、例えば実開平１−１６３４９４号公報の先行技術がある。この先行技術では、電解槽に供給される電解電流を検出し、電解強度調節スイッチの選択により設定された電流値に対して、電解電流の値を一致するように制御することが示されている。
　【０００６】
　【発明が解決しようとする課題】しかしながら、上記先行技術のものにあっては、電解電流を電解強度調節スイッチの選択に応じて制御するものであるから、電解能力を種々の使用条件で適正化したり、フィルタカートリッジの寿命を適確に判定して表示する等の制御はできない。
　【０００７】　本発明は、この点に鑑みてなされたもので、流量センサを用いて、電解槽への通電、電解能力の判定と表示、フィルタカートリッジの寿命の判定と表示を適正に行うように制御することを目的とする。
　【０００８】
　【課題を解決するための手段】上記目的を達成するため本発明は、陰極と陽極を有する電解槽への通水管路中に設けられて通水の残留塩素を除去するフィルタカートリッジと、前記通水管路中に設けられて通水の流量を検出する流量センサと、前記陰極と前記陽極間に直流電圧を印加するスイッチングレギュレータと、前記電解槽の電解強度を調節するレンジ切換スイッチと、流量と前記レンジ切換スイッチの操作で決まる電解強度との関係により電解の要否を判定するとともに、前記レンジ切換スイッチの操作に応じて設定されるパルス信号に基づき前記スイッチングレギュレータをＯＮ、ＯＦＦ動作する制御ユニットとを備えるものである。
　【０００９】
　【作用】上記構成に基づき、電解槽に実際に通水されると、フィルタカートリッジにより通水中の残留塩素が除去され、流量センサの信号で流量が検出される。そして、流量センサの信号で流量が検出され且つレンジ切換スイッチが電解位置の場合に、制御ユニットは、電解要と判定するとともにレンジ切換スイッチの操作に応じて設定されるパルス信号に基づきスイッチングレギュレータをＯＮ、ＯＦＦ動作し、これにより電解槽に通電して正常に電気分解する。また、流量センサの信号で流量が検出されない非通水時、流量センサの信号で流量が検出されてもレンジ切換スイッチが非電解位置の場合には、制御ユニットは、電解不要と判定するとともにスイッチングレギュレータをＯＦＦ動作して、電解槽は非通電の状態に保持され、こうして適確に電解槽に通電することが可能になる。
　【００１０】
　【実施例】以下、本発明の実施例を図面に基づいて説明する。図１において、連続式電解イオン水生成器の全体の構成の概略について説明すると、水道管等に接続して飲料水を導入する通水管路としての入水管１が水道水中の残留塩素を除去するフィルタカートリッジ２に連通される。そして、このフィルタカートリッジ２の出口管３は、その途中に回転式の流量センサ４を備えて電解槽５に連通される。電解槽５は密閉式であり、その内部の出口側を隔壁等で仕切って陰極６と陽極７がそれぞれ設けられ、陰極６の側にアルカリイオン水の吐出口８が、陽極７の側に酸性イオン水の吐出口９がそれぞれ設けられて、アルカリイオン水と酸性イオン水を取水することが可能になっている。
　【００１１】また、電解槽５の電源回路１０について説明すると、符号１１は交流電源であり、この交流電源１１が電源トランス１２の１次側に接続され、電源トランス１２の２次側が過熱保護用のバイメタルサーモ１３を介して整流回路１４に接続されている。整流回路１４の直流電圧出力側の正極と負極は平滑コンデンサ１５を介して、直流供給電力を制御するものとして、パルス幅制御型のスイッチングレギュレータ（ＰＷＭ）１６に接続される。そして、スイッチングレギュレータ１６の出力側が、電源スイッチ１７、極性反転スイッチ１８を介してそれぞれ陽極７と陰極６に接続されている。また、制御用電力を得るため、電源トランス１２の２次側が整流回路１９、平滑コンデンサ２０を介して定電圧回路２１に接続され、この定電圧回路２１が制御ユニット４０に接続して常に一定の電圧を供給するようになっている。
　【００１２】図２において、電気制御系の全体の構成について説明すると、図１のように電源トランス１２の２次側に電解電流を検出する電流センサ２２が設けられ、この電流センサ２２の電解電流が制御ユニット４０に入力する。フィルタカートリッジ２にはそのフィルタ交換時にリセットするリセットスイッチ２３が設けられ、このスイッチ信号が制御ユニット４０に入力する。流量センサ４は、通水路中に設けた電磁羽根車４ａの回転をホール素子４ｂで検出してパルスを出力するように構成され、このパルス信号が波形整形回路２４を介して制御ユニット４０に入力する。制御ユニット４０は流量センサ４のパルス信号のパルスをカウントして流量を検出し、この流量に基づいてリレー２５により電源スイッチ１７をＯＮ、ＯＦＦする。また、通水の停止後に通水量に応じてスケール除去時間を設定し、このスケール除去時間に基づいてリレー２６により極性反転スイッチ１８を逆接続位置に切換えて、陽極７と陰極６のスケールを自動的に除去する。
　【００１３】また、制御ユニット４０には、酸性イオン水とアルカリ水の一方を使用する際に作動する酸−アルカリ切換スイッチ２７、電解強度を調節するレンジ切換スイッチ２８、酸性イオン水の使用の際に作動するメロディースイッチ２９が接続される。一方、表示手段（ＬＥＤ）として、流量表示器３０、レンジ表示器３１、酸、アルカリ表示器３２、スケール除去の際の電極洗浄表示器３３、フィルタ寿命表示器３４、酸性イオン水の使用時に飲水禁止の警告を行うメロディー表示器３５、及び電源トランス１２が過熱した場合の異常表示器３６を有し、これらが制御ユニット４０に接続されている。
　【００１４】次に図３において、本発明の制御装置の実施例について説明する。制御ユニット４０は流量センサ４からのパルス信号が入力する流量検出手段４１を有し、この流量検出手段４１によって流量ｑを検出し、流量ｑをパルス数として電解判定手段４２に入力する。電解判定手段４２は、流量ｑと予め設定された基準流量を比較するもので、基準流量以下の場合に駆動回路４３を介してリレー２５にＯＦＦ信号を出力し、レンジ切換スイッチ２８が電解位置にあり且つ基準流量以上の場合にＯＮ信号を出力する。流量ｑのパルス数は電解能力判定手段４４に入力して、通水時の流量ｑの多少に基づいて電解能力を判断する。即ち、流量ｑが第１の設定値より多い場合は、表示回路４５を介して流量表示器３０の流量多表示器３０ａに点灯信号を出力し、第２の設定値より少ない場合は流量少表示器３０ｂに点灯信号を出力する。また、流量ｑが両設定値の間にある場合は電解能力が適正であることを判断し、流量適表示器３０ｃに点灯信号を出力する。
　【００１５】更に、流量ｑ、レンジ切換スイッチ２８、リセットスイッチ２３の信号は通水量算出手段４６に入力し、電解または非電解レンジのいずれにおいてもリセット信号が入力するまでの間、流量ｑを積算して通水量Ｑを算出する。そして、この通水量Ｑはフィルタ寿命判定手段４７に入力し、設定値の近くになると表示回路４５によりフィルタ寿命表示器３４に点滅信号を出力し、その設定値を越えてフィルタの寿命を判断した場合は、フィルタ寿命表示器３４に点灯信号を出力するように構成される。
　【００１６】次に、この実施例の作用について説明する。先ず、電解槽５には水道水が入水管１を介して常に導入されている。また、電源トランス１２の２次側の整流回路１９、定電圧回路２１等により定電圧が制御ユニット４０に供給されて、制御可能になっている。そこで、アルカリイオン水または酸性イオン水のいずれも使用しない場合には、流量センサ４のパルス信号が制御ユニット４０に入力しないため、電解判定手段４２で非電解を判断してリレー２５にＯＦＦ信号が出力し、このリレー２５により電源スイッチ１７がＯＦＦして電解槽５は非通電し、非電解の状態に保持される。
　【００１７】次いで通水すると、水道水はフィルタカートリッジ２を通過して水道水の残留塩素が除去され、電解槽５に流入する。このとき、流量センサ４からのパルス信号が制御ユニット４０の流量検出手段４１に入力して流量ｑが検出されるが、レンジ切換スイッチ２８が非電解位置の場合には、上述と同様に電解判定手段４２で非電解を判断して電解槽５は非電解の状態になる。従って、この場合は塩素を除去した水道水が取水される。
　【００１８】この非電解時及び後述する電解時には、通水量算出手段４６で流量ｑを積算して通水量Ｑが算出され、フィルタ寿命判定手段４７で通水量Ｑに基づいてフィルタの寿命の有無が適確に判断される。そして、フィルタ寿命が判断されると、その表示器３４が最初に点滅し、次いで点灯してフィルタの寿命、即ち交換時期が表示されるのであり、これにより使用者は適切にフィルタカートリッジ２を交換することが可能になる。そこで、フィルタカートリッジ２を新しいものと交換すると、リセットスイッチ２３が作動してリセット信号が通水量算出手段４６に入力し、通水量Ｑが再び零から積算されるようになる。
　【００１９】一方、通水時にレンジ切換スイッチ２８を所定の電解強度レンジに操作すると、電解判定手段４２で電解を判断してリレー２５にＯＮ信号が出力し、このリレー２５により電源スイッチ１７がＯＮする。すると、電源トランス１２の２次側の変圧電圧が整流回路１４で直流電圧に変換し、平滑コンデンサ１５で平滑化してスイッチングレギュレータ１６に入力する。このとき、制御ユニット４０でレンジ切換スイッチ２８の操作に応じたパルス幅が設定され、このパルス信号がスイッチングレギュレータ１６に出力してＯＮ、ＯＦＦ動作し、直流供給電圧が可変制御されるのであり、これによりレンジ切換スイッチ２８の操作に応じた電解電圧を出力する。そして、この所定の電解電圧が電源スイッチ１７、正接続位置の極性反転スイッチ１８を介して電解槽５の陽極７と陰極６に印加し、その電解槽５の水道水が電解電圧に応じた電解強度で電気分解されることになる。
　【００２０】上記電解時には、電解能力判定手段４４において流量ｑの多少に応じて電解能力が判断され、流量ｑが多い場合、少ない場合、適正な場合にそれぞれ各表示器３０ａ，３０ｂまたは３０ｃが点灯信号により点灯して表示される。そこで、使用者はこの表示状態を見て流量ｑを調節することにより、常に適正に電気分解した酸性またはアルカリイオン水を取水することができる。また、水質が違う場合には、この表示状態を目安にして電解強度レンジや流量ｑを調節することにより、水質の差異を補正して電解能力を最適化することも可能になる。尚、このとき酸性イオン水やアルカリイオン水の取水状態、レンジ切換え状態に応じてそれぞれ表示され、酸性イオン水の場合にはメロディー表示で飲水しないように警告される。
　【００２１】
　【発明の効果】　以上説明したように、本発明によれば、連続式電解イオン水生成器において、流量センサの信号で実際の通水時の流量を検出し、これとレンジ切換スイッチの操作に応じて設定されるパルス信号に基づくスイッチングレギュレータのＯＮ、ＯＦＦ動作により電解槽の通電を制御するように構成されるので、水圧や配管経路の圧損等に影響されることなく、適確に電解槽に通電または非通電することができる。
　【００２２】フィルタカートリッジの寿命は、流量を積算した通水量で判断するように構成されるので、フィルタ能力に対応して適切に交換することができる。この場合に、フィルタを交換すると自動的に通水量がリセットされるので、フィルタ寿命の誤判定を未然に防止することができる。
　【００２３】流量に基づいて電解槽の電解能力を判定して表示するように構成されるので、通水量に対する電解能力を正確に判断して、常に最適化することができ、酸性、アルカリイオン水の信頼性が向上する。また、この場合の電解能力の判定を目安にして、水質が異なる場合にも適切に補正することもできる。
【図面の簡単な説明】
　【図１】本発明に係る連続式電解イオン水生成器の通水経路と電源回路の概略を示す回路図である。
　【図２】連続式電解イオン水生成器の制御回路の概略を示す回路図である。
　【図３】本発明に係る連続式電解イオン水生成器の制御装置の実施例を示すブロック図である。
　【符号の説明】　１　入水管　２　フィルタカートリッジ　３　出口管　４　流量センサ　５　電解槽　６　陰極　７　陽極　１０　電源回路　１７　電源スイッチ　２３　リセットスイッチ　２８　レンジ切換スイッチ　４０　制御ユニット　４１　流量検出手段　４２　電解判定手段　４４　電解能力判定手段　４６　通水量算出手段　４７　フィルタ寿命判定手段